【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
物体からの第１の波長領域光を反射して接眼部に導く光学素子と、
第２の波長領域光を発する光源とを有し、
前記光学素子内に、前記第１の波長領域光を透過して前記第２の波長領域光を反射する波長選択性光学膜が設けられており、
前記波長選択性光学膜を透過した前記第１の波長領域光により形成される物体像に、前記波長選択性光学膜で反射した前記第２の波長領域光により形成される像を重ねて前記接眼部を通して観察者に観察させることを特徴とする光学観察装置。
【請求項２】
前記光源から発せられて前記波長選択性光学膜で反射した前記第２の波長領域光を反射して、再度、前記波長選択性光学膜に向かわせる反射部材を有し、
前記波長選択性光学膜を透過した前記第１の波長領域光により形成される物体像に、前記反射部材で反射して前記波長選択性光学膜で再反射した前記第２の波長領域光により形成される像を重ねて前記接眼部を通して観察者に観察させることを特徴とする請求項１に記載の光学観察装置。
【請求項３】
前記反射部材は、前記光学素子のうち前記第１の波長領域光によって使用されない面から射出した前記第２の波長領域光を反射して前記光学素子内に戻すことを特徴とする請求項２に記載の光学観察装置。
【請求項４】
前記光源は、前記光学素子のうち前記第１及び第２の波長領域光が前記接眼部に向かって射出する面から、前記第２の波長領域光を前記光学素子内に入射させることを特徴とする請求項２又は３に記載の光学観察装置。
【請求項５】
前記反射部材は、前記第２の波長領域光を走査するよう駆動されることを特徴とする請求項２から４のいずれか１つに記載の光学観察装置。
【請求項６】
請求項１から５のいずれか１つに記載の光学観察装置と、
前記第１の波長領域光により形成された物体像を光電変換する撮像素子とを有することを特徴とする撮像装置。
【手続補正２】
【補正対象書類名】明細書
【補正対象項目名】００１０
【補正方法】変更
【補正の内容】
【００１０】
本発明の一側面としての光学観察装置は、物体からの第１の波長領域光を反射して接眼部に導く光学素子と、第２の波長領域光を発する光源とを有し、光学素子内に、第１の波長領域光を透過して第２の波長領域光を反射する波長選択性光学膜が設けられており、波長選択性光学膜を透過した第１の波長領域光により形成される物体像に、波長選択性光学膜で反射した第２の波長領域光により形成される像（情報像）を重ねて接眼部を通して観察者に観察させることを特徴とする。
【手続補正３】
【補正対象書類名】明細書
【補正対象項目名】００１５
【補正方法】変更
【補正の内容】
【００１５】
図１において、５０は交換レンズ内に設けられた撮像レンズである。５３はＣＣＤセンサやＣＭＯＳセンサ等の固体撮像素子であり、撮像レンズ５０により形成された物体像を光電変換する。画像処理回路（図示せず）は、撮像素子５３の出力信号から画像を生成する。生成された画像は、カメラの背面に設けられたディスプレイに表示されたり記録媒体（半導体メモリ等）に記録されたりする。
【手続補正４】
【補正対象書類名】明細書
【補正対象項目名】００１９
【補正方法】変更
【補正の内容】
【００１９】
フォーカシングスクリーン５４の上方には、コンデンサーレンズ５５が配置されている。コンデンサーレンズ５５の射出面５５ａは凸レンズ形状を有する。コンデンサーレンズ５５は、該凸レンズ（射出面５５ａ）の作用により、撮像レンズ５０の瞳を接眼光学系５７の瞳に投影し、フォーカシングスクリーン５４からの光束を集光して効率的に接眼光学系５７に導く。
【手続補正５】
【補正対象書類名】明細書
【補正対象項目名】００２３
【補正方法】変更
【補正の内容】
【００２３】
本実施例では、マット面５４ａ上に形成された物体像（ペンタプリズム５６により反転された正立像）に、後述する「像情報を表示するための構成」により形成された各種情報を表示するための情報像を重ねる。これにより、同一ファインダ視野内で物体像に情報像が重なって見えるスーパーインポーズ表示を行う。各種情報には、焦点検出エリア、測光エリア、撮影者への警告表示等を含む。
【手続補正６】
【補正対象書類名】明細書
【補正対象項目名】００２４
【補正方法】変更
【補正の内容】
【００２４】
なお、カメラの下部には、不図示の焦点検出ユニットが配置されている。ファインダ観察状態では、可動ミラー５２の背後に不図示のサブミラーが配置され、可動ミラー５２を透過した光束をサブミラーで反射して焦点検出ユニットに導く。
【手続補正７】
【補正対象書類名】明細書
【補正対象項目名】００３２
【補正方法】変更
【補正の内容】
【００３２】
反射部材６１−１は、図１の紙面に垂直な軸を中心として方向６１ｂ−１に回動する。また、反射部材６１−１は、図１の紙面に平行な軸を中心として方向６１ｃ−１に回動する。すなわち、反射部材６１−１は、互いに直交する２軸回りで回動することができる。これにより、反射面６１ａ−１で反射される光源５９−１からの第２の光束を、２次元的に走査することができる。
【手続補正８】
【補正対象書類名】明細書
【補正対象項目名】００３５
【補正方法】変更
【補正の内容】
【００３５】
本実施例では、物体からの第１の光束によって使用されないペンタダハプリズム５６の前上面５６ｆを、反射部材６１−１への射出面及び反射部材６１−１からの入射面として使用することで、ペンタダハプリズム５６の面を有効利用している。
【手続補正９】
【補正対象書類名】明細書
【補正対象項目名】００３７
【補正方法】変更
【補正の内容】
【００３７】
本実施例では、反射部材６１−１の２次元走査に同期させながら、光源５９−１の明るさ階調やＯＮ／ＯＦＦ等を制御することで、不図示の撮影者（観察者）の網膜上に２次元像を描画する構成を採用している。反射部材６１−１の走査を制御することで、任意のパターンの像を撮影者に観察させることができる。これにより、提示できる情報の内容（表示内容）の自由度が大幅に上がる。また、走査制御プログラムを変更することで、表示内容の変更を容易に行うことができる。
【手続補正１０】
【補正対象書類名】明細書
【補正対象項目名】００３８
【補正方法】変更
【補正の内容】
【００３８】
反射部材６１−１で反射してペンタダハプリズム５６にその前上面５６ｆから再入射した（戻された）第２の光束は、再度、波長選択膜５６ｈに向かい、該波長選択膜５６ｈで再反射し、ペンタダハプリズム５６の射出面５６ｅに向かう。ペンタダハプリズム５６の射出面５６ｅから射出した第２の光束は、フォーカシングスクリーン５４からの第１の光束と同様に、接眼光学系５７に導かれる。つまり、光源５９−１からの第２の光束は、ペンタダハプリズム５６内の波長選択膜５６ｈでの２回の反射を経て接眼光学系５７に導かれる。
【手続補正１１】
【補正対象書類名】明細書
【補正対象項目名】００４５
【補正方法】変更
【補正の内容】
【００４５】
しかし、反射部材６１−１の走査動作と光源５９−１の発光強度の制御（明るさ階調やＯＮ／ＯＦＦの制御）とを同期させることによって、情報像表示範囲１０２内に任意パターンを表示させることができる。
【手続補正１２】
【補正対象書類名】明細書
【補正対象項目名】００５２
【補正方法】変更
【補正の内容】
【００５２】
６は選択された焦点検出エリアや撮影者への各種警告表示をファインダ内に表示するために光源５９−１の明るさ階調やＯＮ−ＯＦＦ等の制御を行う光源変調回路である。７は反射部材６１−１を２次元的に回動させて光源５９−１からの光束を走査するための走査制御回路である。
【手続補正１３】
【補正対象書類名】明細書
【補正対象項目名】００５９
【補正方法】変更
【補正の内容】
【００５９】
アレイ光源５９−２を使用することで、複数の光源が並ぶ方向にて高解像度での表示が可能である。そして、このアレイ光源５９−２からの光束を、波長選択膜５６ｈ及び反射部材６１−２で反射し、かつ反射部材６１−２で１次元方向に走査して接眼光学系５７に導くことにより、任意パターンの情報像の表示が可能である。